(57)【要約】【課題】雑草生えを防止し、耐候性に優れ、直射日光の照り返しを防止し、直射日光によっても乾燥されにくく、かつ周囲の樹木や草花の生育がよく、周囲に自然らしさを与える人工芝生を提供する。【解決手段】遮光性が高くかつ透水可能な防草基布１を備えると共に、芝生模造葉片２を複数本有する葉片束３が複数具備され、各葉片束３に、複数本の芝生模造葉片２の一部を束ねて固定した根部４が設けられ、前記複数の葉片束３は、互いに間隔をおいて防草基布１上に配置されると共に、各葉片束３の根部４は、芝生模造葉片２の先端側１５が防草基布１から上方突出するように、防草基布１の上面１３に固着されている。【選択図】図２
2005240498.tif 000002
【特許請求の範囲】
【請求項１】
遮光性が高くかつ透水可能な防草基布（１）を備え、この防草基布（１）に多数の芝生模造葉片（２）が上方突出するように植設されていることを特徴とする人工芝生。
【請求項２】
遮光性が高くかつ透水可能な防草基布（１）を備えると共に、芝生模造葉片（２）を複数本有する葉片束（３）が複数具備され、各葉片束（３）に、複数本の芝生模造葉片（２）の一部を束ねて固定した根部（４）が設けられ、前記複数の葉片束（３）は、互いに間隔をおいて防草基布（１）上に配置されると共に、各葉片束（３）の根部（４）は、芝生模造葉片（２）の先端側（１５）が防草基布（１）から上方突出するように、防草基布（１）の上面（１３）に固着されていることを特徴とする人工芝生。
【請求項３】
前記葉片束（３）の芝生模造葉片（２）の先端側（１５）は、防草基布（１）の上方で隣り合う葉片束（３）の芝生模造葉片（２）の先端側（１５）と近接乃至接触するようにばらけた状態になり、防草基布（１）の上方で密集して防草基布（１）の上部を覆っていることを特徴とする請求項２に記載の人工芝生。
【請求項４】
前記葉片束（３）の根部（４）は、複数本の芝生模造葉片（２）の一端部を束ねて圧縮固定してなることを特徴とする請求項２に記載の人工芝生。
【請求項５】
前記葉片束（３）の複数本の芝生模造葉片（２）の長手方向中央部が、防草基布（１）に打ち付けた針部材（５）によって、束ねられた状態で防草基布（１）に圧着固定されて、根部（４）とされ、葉片束（３）の複数本の芝生模造葉片（２）は、根部（４）で２つ折りに曲げられ、複数本の芝生模造葉片（２）の長手方向両端部が根部（４）から上方突出するように、根部（４）の上方の折り曲げ基部（６）同士が、束ねられて圧縮固定されていることを特徴とする請求項２に記載の人工芝生。
【発明の詳細な説明】
【技術分野】
【０００１】
本発明は、道路・歩道等に沿って樹木や草花が植えられている植栽帯自身や周囲、若しくは緑地、法面等に敷設される防草基布を備えた人工芝生に関するものである。
【背景技術】
【０００２】
従来、図１５に示すような防草基布５１を重ねて土壌５８の表面上に被せ、クイ５６等で固定したものや、また、図１４に示すような防草基布５１に芝生模造葉片５２の葉状束５３を貫通させて、芝生模造葉片５２を防草基布５１に植毛した所謂絨毯状人工芝生５９に類するものがある（例えば、特許文献１参照。）。
【特許文献１】特開平８−１０３１７７号公報（第５頁、第１図）
【発明の開示】
【発明が解決しようとする課題】
【０００３】
しかし、防草基布５１のみの構成のものについては、図１５のように、植栽帯の土壌５８の上に単に雑草生え防止と水の通過のみの目的で敷設したものでその外観は見苦しい状況である。自然地帯における植栽帯や緑地では、違和感を与えるほどである。また、防草基布５１のみのものは、直射日光によって乾燥され、防草基布５１下の土壌５８は水分の保持が悪くなり、そのため周囲の樹木５７や草花への水の補給が断たれる。また、日中と夜間あるいは夏と冬との温度差が、防草基布５１下の土壌５８の性質に悪影響を与えて、同様に周囲の樹木５７や草花の生育を阻害することとなる。更には、上記温度差等により、防草基布５１自体の耐候性が劣化して長持ちしないといった欠点があった。
【０００４】
次に、図１４に示すような絨毯状人工芝生５９は、防草基布５１への遮光性を行うことと、視的（見映えや色彩）を目的としたものである。また、防草基布５１の裏面６４に凸部（パッキング層）６０を生じるために、裏面６４が凸凹（デコボコ）であって、道路上の植栽帯への敷設には不向きである。
また、図１４に示す絨毯状人工芝生５９のように、芝生模造葉片５２を束にして植毛してもその葉状束５３は起立したままで、上端部５４を密集させるには、植毛の間隔は隣接を余儀なくさせられ、そのため防草基布５１の上面から上端部５４までほぼ同様の少ない隙間しかできなく、風等による「たなびき」もなく、また流水性も悪く、少ない隙間であることによって、チリやほこりが絡み易く逆にチリやほこりを蓄積させる要因となる不都合が生じる。
【０００５】
そこで、本発明は、上記問題点に鑑み、周囲の樹木や草花の生育がよく、雑草生えを防止し、耐候性もよく、直射日光の照り返しを防止し、直射日光によっても乾燥されにくく、自然らしさを与えた芝生模造葉片２が風にたなびく人工芝生であって、かつ芝生模造葉片の起立性よく、チリやほこりを付着させにくく、しかも防草基布の上面を雨水や散水が流れ易い人工芝生を提供するようにしたものである。
【課題を解決するための手段】
【０００６】
この技術的課題を解決するための本発明の第１の技術的手段は、遮光性が高くかつ透水可能な防草基布を備え、この防草基布に多数の芝生模造葉片が上方突出するように植設されている点にある。
本発明の第２の技術的手段は、遮光性が高くかつ透水可能な防草基布を備えると共に、芝生模造葉片を複数本有する葉片束が複数具備され、各葉片束に、複数本の芝生模造葉片２の一部を束ねて固定した根部が設けられ、前記複数の葉片束は、互いに間隔をおいて防草基布上に配置されると共に、各葉片束の根部は、芝生模造葉片の先端側が防草基布から上方突出するように、防草基布の上面に固着されている点にある。
【０００７】
本発明の第３の技術的手段は、前記葉片束の芝生模造葉片の先端側は、防草基布の上方で隣り合う葉片束の芝生模造葉片の先端側と近接乃至接触するようにばらけた状態になり、防草基布の上方で密集して防草基布の上部を覆っている点にある。
本発明の第４の技術的手段は、前記葉片束の根部は、複数本の芝生模造葉片の一端部を束ねて圧縮固定してなる点にある。
本発明の第５の技術的手段は、前記葉片束の複数本の芝生模造葉片の長手方向中央部が、防草基布に打ち付けた針部材によって、束ねられた状態で防草基布に圧着固定されて、根部とされ、葉片束の複数本の芝生模造葉片は、根部で２つ折りに曲げられ、複数本の芝生模造葉片の長手方向両端部が根部から上方突出するように、根部の上方の折り曲げ基部同士が、束ねられて圧縮固定されている点にある。
【発明の効果】
【０００８】
本発明によれば、雑草生えを防止し、耐候性に優れ、直射日光の照り返しを防止し、同直射日光によっても乾燥されにくく、芝生模造葉片の起立性よく、道路上でのチリやほこりを付着させにくく、かつ周囲の樹木や草花の生育がよく、周囲に自然らしさを与えた、芝生模造葉片が風にたなびく人工芝生を提供することが可能となる。
【発明を実施するための最良の形態】
【０００９】
以下、本発明の実施の形態を図面に基づいて説明する。
図１〜５は本発明の人工芝生の第１実施形態を示すものである。人工芝生は、防草基布１と芝生模造葉片２を複数本有する葉片束３が複数具備されている。この防草基布１は、ポリエステル長繊維不織布よりなる。遮光率が高く、通気性・透水性を有し、特別な排水処理を必要としない。防草基布１は、たとえば商標名「東レアクスター」（http://www.interaction.co.jp/egt03g/pdf/p181.pdf。「東レ株式会社産業資材事業部」）である。
この防草基布１の敷設自体は、図１５に示す従来の状況と変わりなく、植栽帯（樹木７や草花が生育）の土壌８の上に敷設されている。また、葉片束３は、芝生模造葉片２を複数本有し、その一部を束ねて圧縮固定した根部４を有している。すなわち、多数本の芝生模造葉片２を圧縮することによって、圧縮部である根部４は最小に縮小され、反対に芝生模造葉片２の先端側１５の端上部ではその反動で放射状に広げられ、放射状の広がりがあたかも咲いてる如く開くことと、複数本の芝生模造葉片２の１本１本が各々離れ、風等に「たなびき」易くなる効果も得られる。この芝生模造葉片２は、しなやかで天然の芝生の葉と外観上もそっくりである。
【００１０】
なお、図２は、図１の人工芝生部分の一部を拡大して示した斜視図であって、防草基布１に芝生模造葉片２を複数本有する葉片束３が複数備わっている状況である。
図３は、ロープ状にした複数本の芝生模造葉片２の長手方向中央部を２つ折りにし根部４とされ、この長手方向中央部を針部材５によって防草基布１に圧着固定する。すなわち、前記中央部の長手方向を横断するようにロープ状にした複数本の芝生模造葉片２に跨って針部材５を打ち込み、その針部材５の打ち込んだ両端は防草基布１を貫いて反対面（裏面１４）にて折り返される。
【００１１】
なお、図３には、根部４の上方の折り曲げ基部６同士を束ねてリング１０で圧縮固定するための、かしめる前のリング１０も示している。
図４は、複数本の芝生模造葉片２の長手方向両端部が根部４から上方突出するように、根部４の上方の折り曲げ基部６同士が、かしめたリング１０によって束ねられて圧縮固定された斜視図である。
図５の「リングかしめ」は、図４を横から示した側面図である。
なお、図２においては、防草基布１上の複数の葉片束３は、列（行）内に等間隔であって、また列（行）毎に互いに千鳥状に交互に配置されているが、必ずしもそのように限定するものではなく、複数の葉片束３に互いに間隔があって、防草基布１の上方で隣り合う葉片束３の芝生模造葉片２の先端側１５と近接乃至接触するようにばらけた状態になって、防草基布１の上方で密集して防草基布１の上部を覆っておれば、いかなる配置でも構わない。防草基布１の上方では、芝生模造葉片２の先端側１５がばらけた状態で密集するが、下方の防草基布１の上面１３では、間隔を持った１柱の根部４が点在することになり、防草基布１の上面１３では空隙スペース（隙間１２）が多く形成されることになる。このことはチリやほこりが防草基布１の上面１３に集まったとしても通過し易く、雨水や散水にて容易に流し出すことができる。
【００１２】
いいかえれば、図２は、防草基布１のすぐ上には上記間隔をあけて葉片束３が配置されているが、ばらけた芝生模造葉片２の先端側１５では芝生模造葉片２が防草基布１を覆っている。したがって、防草基布１の上面１３と、芝生模造葉片２の先端側１５との間は、隙間１２ができている。この隙間１２は、根部４を作ることにより顕著に得られる。この隙間１２は流通性のある空気層、あるいは流水路ともなっている。
この空気層は、主に防草基布１の上面１３に沿った方向に流通性が生じている。この空気層は、防草基布１と外気との間の温度差の変化を緩和させる働きを有する。この緩和させる働きは、防草基布１の近傍に設けられた植栽帯の土壌８の温度変化を和らげ、樹木７や草花の生育を助ける。
【００１３】
この空気層の存在と、防草基布１を覆うばらけた芝生模造葉片２の存在とは、直射日光の影響が直接防草基布１へ及ぶことを防止するため、防草基布１の長期使用を可能にする。すなわち、防草基布１の耐候性を高める。
さらに、防草基布１を覆うばらけた芝生模造葉片２の存在は、人工芝生に降り注いだ雨水や、（酷暑時期での）散水等の水の蒸発を軽減させる。すなわち、防草基布１を有する人工芝生での「水の流れ去り」を防止している。防草基布１の上面１３と、芝生模造葉片２との間の隙間１２の流水路を通る、単なる「水の流れ去り」を防止している。いいかえれば、本発明による人工芝生により、植栽帯の土壌８への水の保持率が向上し、水の補給が適格となり、樹木７や草花の生育を助ける。
【００１４】
また、防草基布１を芝生模造葉片２で覆い隠すことにより、防草基布１のみの場合には目立つような防草基布１の継ぎ目やクイ止めの存在が（外観からは）目立たなくなり、前記継ぎ目やクイ止めの見苦しさが解消される。前記解消されるのみならず、芝生模造葉片２の先端側１５はばらけた状態を保ちながら、芝生模造葉片２は叢生状にしなやかに樹立しており、そのために自然風や車両の通過による風等の風圧によって芝生模造葉片２が波動する。すなわち、「たなびく」ように芝生模造葉片２が波動することにより、外観上もあたかも天然の生き生きした芝が生えているがごとく美麗な状況を呈する。さらに、「たなびく」ように芝生模造葉片２が波動するによって、本発明の人工芝生へ降り注ぐチリやほこり（防草基布１の上面１３に芝生模造葉片２を固定して起立させることは、チリやほこりを本来は蓄積させ易くする要因となるが。）を払い除けるので、本発明の人工芝生は汚れにくい。
【００１５】
すなわち、防草基布１の上面１３に隙間１２を多く形成するメリットは、特に道路敷設にあたっては、チリやほこり等が敷設面に飛んでくる要因があり、それらを付着や蓄積させにくくする必要がある。芝生模造葉片２が放射状に広がり１本１本単独化することによって風や車の風圧などでたなびきチリやほこりを付着させにくくする。防草基布１の上面１３に多大な隙間１２ができることによって、雨水や散水での流水が容易となり、かつチリやほこりも通過し易く水とともに容易に流し出すことができる。
次に、図１〜５の第１実施形態とは別の第２実施形態を示す。第２実施形態では、図６に示すように、防草基布１上の葉片束３の配置が相違している。図６の（ａ）は防草基布１上に配置された各葉片束３の上面図、（ｂ）は側面図である。すなわち、複数の葉片束３が、互いに間隔をおいて防草基布１上に配置され、各葉片束３の根部４が、芝生模造葉片２の先端側１５が防草基布１から上方突出するように、防草基布１に圧着固定されている図である。なお、図６の葉片束３は、図５の「リングかしめ」に相当しており、根部４を防草基布１に針部材５によって圧着固定している。
【００１６】
なお、図６の（ａ）の右下半分は、（ｂ）のＡ−Ａ’断面である。このことは、（ａ）の右下半分に示すリング１０（並びに根部４上方の折り曲げ基部６同士が束ねられ圧縮固定された部分の断面）と、同（ａ）の左上半分のばらけた芝生模造葉片２との各輪郭円の大きさに差があることから明確に示されているように、各輪郭円の大きさの差が、立体的な空気層を形成している。この空気層は、前記図１〜５で説明したと同様の、例えば防草基布１と外気との間の温度差の変化を緩和させる働き等を有する。
図６は、複数の葉片束３の互いの間隔が狭く、互いに密集している。すなわち、図６では、防草基布１の上方で隣り合う葉片束３の芝生模造葉片２の先端側１５と近接乃至接触するようにばらけた状態になって、防草基布１の上方で密集して防草基布１の上部を覆っている。
【００１７】
次に、第１〜２実施形態とは別の第３実施形態を示す。この第３実施形態は、前記図５の「リングかしめ」の替わりに、図７に示すように、「密着・接着」を用いたもので、根部４の上方の折り曲げ基部６同志を接着剤で「密着・接着」し、図４、５と同様に防草基布１に針部材５によって圧着固定している。
次に、第１〜３実施形態とは別の第４実施形態を示す。この第４実施形態においては、図５の「リングかしめ」のリング１０の替わりに、図８に示すように「金属輪巻き」を用いたものであって、金属輪１１を使用した実施形態である。なお、図７〜８も図４〜５と同様に、芝生模造葉片２の一部を束ねて圧縮固定した根部４を有しているのが判明する。
【００１８】
次に、第１〜４実施形態とは別の第５実施形態を示す。この第５実施形態においては、特に前記図６に替えて図９で示すものである。すなわち、図９の（ａ）は防草基布１上に配置された葉片束３の上面図、（ｂ）は側面図である。図９の葉片束３は、前記「リングかしめ」のものを防草基布１に接着している。芝生模造葉片２の一部を束ねて圧縮固定してなる根部４があり、その根部４の下を防草基布１に接着している。なお、防草基布１に押し付けて接着しているので、根部４が上下方向に変形している。
複数の葉片束３が、互いに間隔をおいて防草基布１上に配置され、芝生模造葉片２の先端側１５が防草基布１から上方突出している。このため、防草基布１の上面１３と、芝生模造葉片２の先端側１５との間は隙間１２ができている。この隙間１２は流通性のある空気層となっている。なお、図９においては、図６と比較して、複数の葉片束３の互いの間隔は広い。
【００１９】
図９において、図２〜３と同様に、防草基布１上の複数の葉片束３は、列（行）内に等間隔であって、また列（行）毎に互いに千鳥状に交互に配置されているが、必ずしもそのように限定するものではないのは、図２、図６、並びにそれ以外の実施形態と同様である。
また、別の第６実施形態である図１０〜１１に示す。特に前記図３〜５に替えて、図１０に示すように、芝生模造葉片２の一部を束ねるために、複数の芝生模造葉片２の周囲に嵌めたリング１０を、治具を用いて締める（「リングかしめ」）。そして、図１１に示すように、図１０の「リングかしめ」のものを防草基布１に接着している。芝生模造葉片２の一端部を束ねて圧縮固定してなる根部４があり、その根部４の下をカットして防草基布１に接着している。
【００２０】
別の第７実施形態である図１２の「密着・接着」においては、前記図１０とは違って、芝生模造葉片２の一端部を接着剤で束ねて根部４とし圧縮固定している。そして、図１１と同様に根部４の下を防草基布１に接着している。
別の第８実施形態である図１３の「金属輪巻き」においては、図１１のリング１０の替わりに金属輪１１を使用しているものである。。
また、根部４と防草基布１とを上記の各種の様式にて圧着固定しているが、その様式は上記各実施形態に限定するものではない。
【００２１】
なお、上記各実施形態においては、防草基布１の上面１３に根部４を設けている。すなわち、土壌８と接する防草基布１の裏面１４に凹凸がなくフラットであって、防草基布１と土壌８とのなじみがよく、従って本発明の人工芝生の敷設が容易である。なお、実施形態を示す図５、図６（ｂ）、図７、図８のように、防草基布１を貫いた針部材５の折り返された部分は、防草基布１にほとんど埋め込まれており、防草基布１の裏面１４におけるフラットな状況を妨害するものではない。また、防草基布１の上面１３に根部４を設けていることは、葉片束３の相互間に間隔があっても芝生模造葉片２の起立性は優れている。さらに、防草基布１が薄くても前記起立性に優れた芝生模造葉片２を敷設できる。
【００２２】
また、芝生模造葉片２の個々の長さを替えて先端側１５に長短を生じさせることにより、本発明の人工芝生に、天然の生き生きした芝が生えているがごとき一層美麗な「たなびく」状況をもたらす。
本発明の人工芝生の第１実施形態が、防草基布１の近傍に設けられた植栽帯の土壌８の温度変化を和らげ、樹木７や草花の生育を助けたり、直射日光の影響が直接防草基布１へ及ぶことを防止し、防草基布１の長期使用を可能にするような耐候性を有する等は、前記他の実施形態においても同様に有効である。従って、「たなびく」ように芝生模造葉片２が波動する本発明の各実施形態の人工芝生は、降り注ぐチリやほこりを払い除けるので、いつまでも美しく汚れにくい。
【産業上の利用可能性】
【００２３】
本発明の人工芝生は、直射日光の照り返しを防止するため、保水率もよく、従って、周囲環境の温暖化に有効である。すなわち、周囲に樹木や草花のないところでの雑草生え防止を重視した場所、たとえばコンクリート処理した場所などでの使用にも向いている。
周囲が樹木や草花のある植栽帯などの場所でも、良好な保水率や温暖化ひいては寒暖の差を減少させるため、前記植栽帯などの場所に相応しい土壌を維持・養生させることにも有効である。
【図面の簡単な説明】
【００２４】
【図１】本発明の第１実施形態の人工芝生を備えた植栽帯の外観図である。
【図２】第１実施形態の人工芝生の斜視図である。
【図３】芝生模造葉片、針部材、並びにリングの図である。
【図４】針部材で防草基布に圧着固定し、「リングかしめ」した斜視図である。
【図５】図４を示す別の図である。
【図６】第２実施形態であって、（ａ）は葉状束の上面図、（ｂ）は側面図である。
【図７】第３実施形態であって、「密着・接着」した図である。
【図８】第４実施形態であって、「金属輪巻き」した図である。
【図９】第５実施形態であって、（ａ）は葉状束の上面図、（ｂ）は側面図である。
【図１０】第６実施形態である「リングかしめ」した図である。
【図１１】図１０の側面図である。
【図１２】第７実施形態である「密着・接着」後、防草基布に接着した図である。
【図１３】第８実施形態である「金属輪巻き」後、防草基布に接着した図である。
【図１４】従来の絨毯状人工芝生断面図である。
【図１５】防草基布を備えた植栽帯の従来図である。
【符号の説明】
【００２５】
１    防草基布
２    芝生模造葉片
３    葉片束
４    根部
５    針部材
１２  隙間
１３  上面
１４  裏面
１５  先端側
５１  防草基布（従来）
６０  凸部（パッキング層）（従来）
【図１】
2005240498.tif 000003
【図２】
2005240498.tif 000004
【図３】
2005240498.tif 000005
【図４】
2005240498.tif 000006
【図５】
2005240498.tif 000007
【図６】
2005240498.tif 000008
【図７】
2005240498.tif 000009
【図８】
2005240498.tif 000010
【図９】
2005240498.tif 000011
【図１０】
2005240498.tif 000012
【図１１】
2005240498.tif 000013
【図１２】
2005240498.tif 000014
【図１３】
2005240498.tif 000015
【図１４】
2005240498.tif 000016
【図１５】
2005240498.tif 000017